(57)【要約】【課題】時間の無駄なく、かつ、本来の放送信号の受信及び再生への影響をできるだけ少なくして、チャンネルサーチ等のバックグラウンド処理を行うことのできる「車載用受信装置」を提供することである。【解決手段】受信品質が所定品質レベルまで低下したときに情報の再生に弱階層の第１放送信号を用いる第１再生形態から情報の再生に強階層の第２放送信号を用いる第２再生形態に切り替え、前記受信品質が前記所定品質レベルを越えた状態がある期間継続されると、前記第２再生形態から前記第１再生形態に復帰させる再生形態切替手段と、前記第１再生形態から前記第２再生形態への切り替えタイミングから、一部の一又は複数の受信ユニットを前記放送信号の受信に用いつつ、残りの一又は複数の受信ユニットを用いた所定のバックグラウンド処理の実行を許容するバックグラウンド処理タイミング制御手段（１１３、１１４）とを有する構成となる。【選択図】  図１
2013172332.tif 000002
【特許請求の範囲】
【請求項１】
階層伝送によりデジタル放送される、弱階層の第１放送信号と強階層の第２放送信号とを含む放送信号を所定数の受信ユニットを有する受信部にて受信し、該受信部にて受信される前記第１放送信号及び前記第２放送信号のいずれかに基づいて情報を再生する車載用受信装置であって、
前記放送信号の前記受信部での受信品質が所定品質レベルまで低下したときに情報の再生に前記第１放送信号を用いる第１再生形態から情報の再生に前記第２放送信号を用いる第２再生形態に切り替え、前記受信品質が前記所定品質レベルを越えた状態がある期間継続されると、前記第２再生形態から前記第１再生形態に復帰させる再生形態切替手段と、
前記再生形態切替手段による前記第１再生形態から前記第２再生形態への切り替えタイミングから、前記所定数の受信ユニットの一部の一又は複数の受信ユニットを前記放送信号の受信に用いつつ、残りの一又は複数の受信ユニットを用いた所定のバックグラウンド処理の実行を許容するバックグラウンド処理タイミング制御手段とを有する車載用受信装置。
【請求項２】
前記バックグラウンド処理タイミング制御手段は、前記再生形態切替手段による前記第１再生形態から前記第２再生形態への切り替えタイミングから、前記再生形態切替手段により前記第２再生形態から前記第１再生形態に復帰するまでの間、前記バックグラウンド処理の実行を許容する請求項１記載の車載用受信装置。
【請求項３】
前記再生形態切替手段は、前記受信品質が前記所定品質レベルを越えた状態が予め定めた一定時間継続されると、前記第２再生形態から前記第１再生形態に復帰させ、
前記バックグラウンド処理タイミング制御手段は、前記再生形態切替手段による前記第１再生形態から前記第２再生形態への切り替えタイミングから前記一定時間許容する請求項１記載の車載用受信装置。
【請求項４】
前記バックグラウンド処理タイミング制御手段は、前記再生形態切替手段による前記第１再生形態から前記第２再生形態への切り替えタイミングから前記バックグラウンド処理を開始させる請求項１乃至３のいずれかに記載の車載用受信装置。
【請求項５】
階層伝送によりデジタル放送される、弱階層の第１放送信号と強階層の第２放送信号とを含む放送信号を所定数の受信ユニットを有する受信部にて受信し、該受信部にて受信される前記第１放送信号及び前記第２放送信号のいずれかに基づいて情報を再生する車載用受信装置であって、
前記放送信号の前記受信部での受信品質が所定品質レベルまで低下したときに情報の再生に前記第１放送信号を用いる第１再生形態から情報の再生に前記第２放送信号を用いる第２再生形態に切り替え、前記第１再生形態から前記第２再生形態への切り替えタイミングから一定時間、前記受信品質に係らず前記第２再生形態を維持した後、前記受信品質が前記所定品質レベルを越えたときに、前記第２再生形態から前記第１再生形態に復帰させる再生形態切替手段と、
前記再生形態切替手段による前記第１再生形態から前記第２再生形態への切り替えタイミングから当該第２再生形態が維持される前記一定時間において、前記所定数の受信ユニットの一部の一又は複数の受信ユニットを前記放送信号の受信に用いつつ、残りの一又は複数の受信ユニットを用いた所定のバックグラウンド処理の実行を許容するバックグランド処理タイミング制御手段とを有する車載用受信装置。
【発明の詳細な説明】
【技術分野】
【０００１】
本発明は、地上デジタル放送のように、階層伝送によりデジタル放送される、弱階層の放送信号及び強階層の放送信号を受信しつつ、チャンネルサーチ等のバックグラウンド処理を行う車載用受信装置に関する。
【背景技術】
【０００２】
現在行われている地上デジタル放送では、１つのチャンネルの中でセグメント毎に搬送波の変調方式や誤り訂正の強さを変えることのできる階層伝送がなされている。この階層伝送により、例えば、１チャンネルに含まれる１３個のセグメント（セグメント：周波数帯域幅の基本単位）のうち、１２個のセグメントを用いて情報レートが大きく高品質なハイビジョン等の放送信号と、残りの１個のセグメントを用いて電波の変動に強い方式で変調された放送信号とを含む放送信号が放送に供される。階層伝送では、１２個のセグメントを用いて放送される上記情報レートが大きく高品質な放送信号は、電波の変動に弱く、弱階層の放送信号である。一方、１個のセグメントを用いて放送される上記電波の変動に強い方式で変調された放送信号、即ち、強階層の放送信号は、その情報レートが低く低品質なものである。
【０００３】
上記のような階層伝送により放送に供される放送信号を受信する車載用受信装置として、特許文献１に記載されるものが知られている。この車載用受信装置では、車両の走行中に放送信号の受信品質が種々変動することから、受信品質に応じて、前記弱階層の放送信号を用いた情報（放送番組の音声及び映像）の再生（映像表示及び音出力）と前記強階層の放送信号を用いた情報の生成とを切り替えている。即ち、受信品質が良好な場合には、弱階層の放送信号を用いて高品質な情報（音声、ハイビジョン映像等）の再生がなされ（１２セグ放送）、その受信品質が低下した場合には、強階層の放送信号を用いて情報（音声、テレビジョン映像）の再生がなされる（ワンセグ放送）。
【０００４】
また、特許文献１に記載された車載用受信装置では、４つの受信ユニット（アンテナ部及び選局・復調部）によって受信される放送信号をダイバーシティ合成（４ダイバ合成）し、合成受信信号を得ている。そして、その合成受信信号から求められる受信品質のパラメータＣ（搬送波電力）／Ｎ（雑音電力）に基づいて、該合成受信信号に含まれる弱階層の放送信号（１２セグ放送）の部分及び強階層の放送信号（ワンセグ放送）の部分のいずれかを情報の再生に供している。
【０００５】
更に、地上デジタル放送では、各放送局からの放送番組と同一の内容の放送番組が中継局からも異なるチャンネルにて放送されている。また、異なる放送局（同一系列の放送局）が同一の内容の放送番組を異なるチャンネルにて放送していることもある。種々のチャンネル（放送局、中継局）の放送信号を受信し得る従来の車載用受信装置（特許文献１参照）では、選局されたチャンネル（放送局）の放送信号の受信品質が低下してくると、弱階層の放送信号（１２セグ放送）を用いた情報の再生から強階層の放送信号（ワンセグ放送）を用いた情報の再生への切り替えタイミングから所定時間ｔ１経過後に、ダイバーシティ合成に利用されていた４つの受信ユニットのうちの一部の一又は複数の受信ユニットにて前記選局されたチャンネルの放送信号を受信して情報（放送番組の音声及び映像）の再生（映像表示及び音出力）を継続しつつ、残りの受信ユニットを用いて、同一の放送番組を放送している中継局等のチャンネルを探すチャンネルサーチをバックグラウンド処理として行う。このように、弱階層の放送信号（１２セグ放送）を用いた情報の再生から強階層の放送信号（ワンセグ放送）を用いた情報の再生への切り替えタイミングから所定時間ｔ１経過後にチャンネルサーチを行うことにより、受信品質が一時的（所定時間ｔ１以内）に低下して復帰したような場合に、無駄なチャンネルサーチ（バックグラウンド処理）を防止することができる。
【先行技術文献】
【特許文献】
【０００６】
【特許文献１】特開２０１１−８７０５１号公報
【発明の概要】
【発明が解決しようとする課題】
【０００７】
しかしながら、弱階層の放送信号を用いた情報の再生（１２セグ放送）から強階層の放送信号を用いた情報の再生（ワンセグ放送）に切り替るほどに低下した受信品質が、即座に回復しない場合もあり、この場合には、所定時間ｔ１を待つ分、チャンネルサーチの開始のタイミングが遅れてしまう。即ち、前記所定時間ｔ１の待ち時間は無駄な時間となってしまう。
【０００８】
また、弱階層の放送信号を用いた情報の再生（１２セグ放送）と強階層の放送信号を用いた情報の再生（ワンセグ放送）との頻繁な切り替えを防止するため、弱階層の放送信号を用いた情報の再生（１２セグ放送）から強階層の放送信号を用いた情報の再生（ワンセグ放送）に切り替えた後、受信品質が弱階層の放送信号を用いた情報の再生（１２セグ放送）に適した所定品質レベルを超えた状態がある期間維持されると、弱階層の放送信号を用いた情報の再生（１２セグ放送）に復帰させている。このような場合、一時的に受信品質が低下して強階層の放送信号を用いた情報の再生（ワンセグ放送）に切り替わった後に、即座に受信品質が回復しても、ある期間は、前記強階層の放送信号を用いた情報の再生（ワンセグ放送）が維持されるので、受信品質が即座に回復することを期待して設定された前記所定時間ｔ１の待ち時間は、無駄な時間になってしまう。
【０００９】
本発明は、このような事情に鑑みてなされたもので、時間の無駄なく、かつ、本来の放送信号の受信及び再生への影響をできるだけ少なくして、チャンネルサーチ等のバックグラウンド処理を行うことのできる車載用受信装置を提供するものである。
【課題を解決するための手段】
【００１０】
本発明に係る車載用受信装置は、階層伝送によりデジタル放送される、弱階層の第１放送信号と強階層の第２放送信号とを含む放送信号を所定数の受信ユニットを有する受信部にて受信し、該受信部にて受信される前記第１放送信号及び前記第２放送信号のいずれかに基づいて情報を再生する車載用受信装置であって、前記放送信号の前記受信部での受信品質が所定品質レベルまで低下したときに情報の再生に前記第１放送信号を用いる第１再生形態から情報の再生に前記第２放送信号を用いる第２再生形態に切り替え、前記受信品質が前記所定品質レベルを越えた状態がある期間継続されると、前記第２再生形態から前記第１再生形態に復帰させる再生形態切替手段と、前記再生形態切替手段による前記第１再生形態から前記第２再生形態への切り替えタイミングから、前記所定数の受信ユニットの一部の一又は複数の受信ユニットを前記放送信号の受信に用いつつ、残りの一又は複数の受信ユニットを用いた所定のバックグラウンド処理の実行を許容するバックグラウンド処理タイミング制御手段とを有する構成となる。
【００１１】
このような構成により、放送信号の受信品質が所定品質レベルまで低下したときに、情報の再生に弱階層の放送信号を用いる第１再生形態から情報の再生に強階層の放送信号を用いる第２再生形態に切り替えられ、受信品質が前記所定品質レベルを超えた状態がある期間継続されると、前記第２再生形態から前記第１再生形態に復帰される。このような前記第１再生形態と前記第２再生形態との切り替えの過程で、前記放送信号の受信品質が前記所定品質レベルまで低下して前記第１再生形態から前記第２再生形態に切り替えられたタイミングから、所定数の受信ユニットの一部の一又は複数の受信ユニットを前記放送信号の受信に用いつつ、残りの一又は複数の受信ユニットを用いたバックグラウンド処理の実行が許容される。これにより、受信品質が所定品質レベルまで低下して前記第１再生形態から前記第２再生形態に切り替わった直後からバックグラウンド処理を開始することができ、また、前記第１再生形態から前記第２再生形態に切り替わった後、受信品質が前記所定品質レベルを越える状態に復帰したとしても前記第１再生形態に切り替わることなく前記第２再生形態が維持される少なくともある期間において、前記バックグラウンド処理がなされ得る。
【００１２】
前記第２再生形態から前記第１再生形態に復帰の条件となる前記受信レベルが前記所定レベルを越えた状態が維持されるある期間は、予め定めた一定時間であっても、任意の時間であってもよく、何らかの時間の経過があればよい。
【００１３】
本発明に係る車載用受信装置において、前記バックグラウンド処理タイミング制御手段は、前記再生形態切替手段による前記第１再生形態から前記第２再生形態への切り替えタイミングから、前記再生形態切替手段により前記第２再生形態から前記第１再生形態に復帰するまでの間、前記バックグラウンド処理の実行を許容する構成とすることができる。
【００１４】
このような構成により、放送信号の受信品質が所定品質レベルまで低下して第１再生形態（弱階層の放送信号を用いた情報の再生）から第２再生形態（強階層の放送信号を用いた情報の再生）に切り替わった後、受信品質が前記所定品質レベルを超えた状態がある期間継続されて前記第２再生形態から前記第１再生形態に復帰するまでの間、即ち、強階層の放送信号を用いた情報の再生がなされる前記第２再生形態の間に、バックグラウンド処理がなされ得る。
【００１５】
また、本発明に係る車載用受信装置において、前記再生形態切替手段は、前記受信品質が前記所定品質レベルを越えた状態が予め定めた一定時間継続されると、前記第２再生形態から前記第１再生形態に復帰させ、前記バックグラウンド処理タイミング制御手段は、前記再生形態切替手段による前記第１再生形態から前記第２再生形態への切り替えタイミングから前記一定時間許容する構成とすることができる。
【００１６】
このような構成により、前記第１再生形態から前記第２再生形態に切り替わった後、受信品質が前記所定品質レベルを超える状態に復帰したとしても前記第１再生形態に切り替わることなく前記第２再生形態が維持される少なくとも一定時間において、前記バックグラウンド処理がなされ得る。
【００１７】
更に、本発明に係る車載用受信装置において、前記バックグラウンド処理タイミング制御手段は、前記再生形態切替手段による前記第１再生形態から前記第２再生形態への切り替えタイミングから前記バックグラウンド処理を開始させる構成とすることができる。
【００１８】
このような構成により、受信品質が所定品質レベルに低下して第１再生形態から第２再生形態に切り替えられたタイミングからバックグラウンド処理が開始されるので、前記第１再生形態から前記第２再生形態に切り替わった後、受信品質が前記所定品質レベルを超える状態に復帰したとしても前記第１再生形態に切り替わることなく前記第２再生形態が維持される少なくともある期間において、前記バックグラウンド処理が実行される。
【００１９】
また、本発明に係る車載用受信装置は、階層伝送によりデジタル放送される、弱階層の第１放送信号と強階層の第２放送信号とを含む放送信号を所定数の受信ユニットを有する受信部にて受信し、該受信部にて受信される前記第１放送信号及び前記第２放送信号のいずれかに基づいて情報を再生する車載用受信装置であって、前記放送信号の前記受信部での受信品質が所定品質レベルまで低下したときに情報の再生に前記第１放送信号を用いる第１再生形態から情報の再生に前記第２放送信号を用いる第２再生形態に切り替え、前記第１再生形態から前記第２再生形態への切り替えタイミングから一定時間、前記受信部での受信品質に係らず前記第２再生形態を維持した後に当該第２再生形態から前記第１再生形態に復帰させる再生形態切替手段と、前記再生形態切替手段による前記第１再生形態から前記第２再生形態への切り替えタイミングから、前記第２再生形態が維持される前記一定時間において、前記所定数の受信ユニットの一部の一又は複数の受信ユニットを前記放送信号の受信に用いつつ、残りの一又は複数の受信ユニットを用いた所定のバックグラウンド処理の実行を許容するバックグランド処理タイミング制御手段とを有する構成となる。
【００２０】
このような構成により、放送信号の受信品質が所定品質レベルまで低下したときに、情報の再生に弱階層の放送信号を用いる第１再生形態から情報の再生に強階層の放送信号を用いる第２再生形態に切り替えられ、その切り替えタイミングから受信品質に係らず一定時間前記第２再生形態が維持された後に、前記受信品質が前記所定品質レベルを越えると、前記第２再生形態から前記第１再生形態に復帰される。このような前記第１再生形態と前記第２再生形態との切り替えの過程で、前記第１再生形態から前記第２再生形態に切り替えられるタイミングから当該第２再生形態が維持される一定時間において、所定数の受信ユニットの一部の一又は複数の受信ユニットを前記放送信号の受信に用いつつ、残りの一又は複数の受信ユニットを用いたバックグラウンド処理の実行が許容される。これにより、受信品質が所定品質レベルまで低下して前記第１再生形態から前記第２再生形態に切り替わった直後からバックグラウンド処理を開始することができ、また、放送信号の受信品質に係らず、即ち、前記第１再生形態での情報の再生が可能であるか否かに係らず、前記第２再生形態が維持される期間において、前記バックグラウンド処理がなされ得る。
【発明の効果】
【００２１】
本発明に係る車載用受信装置によれば、受信品質が所定品質レベルまで低下して前記第１再生形態から前記第２再生形態に切り替わった直後からバックグラウンド処理を開始することができ、また、前記第１再生形態から前記第２再生形態に切り替わった後、受信品質が前記所定品質レベルを超える状態に復帰したとしても前記第１再生形態に切り替わることなく前記第２再生形態が維持される少なくともある期間において、前記バックグラウンド処理がなされ得るので、時間の無駄なく、かつ、本来の放送信号の受信及び再生への影響をできるだけ少なくして、バックグラウンド処理を行うことができる。
【００２２】
また、本発明に係る車載用受信装置によれば、受信品質が所定品質レベルまで低下して前記第１再生形態から前記第２再生形態に切り替わった直後からバックグラウンド処理を開始することができ、また、その受信品質が前記所定品質レベルに係らず、即ち、前記第１再生形態での情報の再生が可能であるか否かに係らず、前記第２再生形態が維持される期間において前記バックグラウンド処理がなされ得るので、時間の無駄なく、かつ、本来の放送信号の受信及び再生への影響をできるだけ少なくして、バックグラウンド処理を行うことができる。
【図面の簡単な説明】
【００２３】
【図１】本発明の実施の形態に係る車載用受信装置である地上デジタル放送受信装置の構成を示すブロック図である。
【図２】図１に示す車載用受信装置における制御部によるフルセグ受信とワンセグ受信との自動切り替え処理の手順の一例を示すフローチャートである。
【図３】図２に示す手順に従ってフルセグ受信とワンセグ受信との自動切り替え処理がなされた場合における、受信品質（Ｃ／Ｎ）の変化と、フルセグ受信とワンセグ受信との切り替えとの関係を示す図である。
【図４】図１に示す車載用受信装置における制御部によるチャンネルサーチ処理（バックグラウンド処理）の手順を示すフローチャートである。
【図５】図２に示す手順に従ってフルセグ受信とワンセグ受信との自動切り替え処理がなされる過程で実行されるチャンネルサーチ処理において中継チャンネルがみつかった場合における、受信品質（Ｃ／Ｎ）と、フルセグ受信とワンセグ受信との切り替えと、チャンネルサーチとの関係を示すタイミングチャートである。
【図６】図１に示す車載用受信装置における制御部におけるＥＰＧ取得処理（バックグラウンド処理）の手順を示すフローチャートである。
【図７】受信品質（Ｃ／Ｎ）と、フルセグ受信とワンセグ受信との切り替えと、ＥＰＧ取得との関係を示すタイミングチャートである。
【図８】受信品質（Ｃ／Ｎ）の変化と、フルセグ受信とワンセグ受信との切り替えとの他の関係を示す図である。
【図９】図１に示す車載用受信装置における制御部によるフルセグ受信とワンセグ受信との自動切り替え処理の手順の他の一例を示すフローチャートである。
【図１０】図９に示す手順に従ってフルセグ受信とワンセグ受信との自動切り替え処理がなされた場合における、受信品質（Ｃ／Ｎ）の変化と、フルセグ受信とワンセグ受信との切り替えとの関係を示す図である。
【図１１】図９に示す手順に従ってフルセグ受信とワンセグ受信との自動切り替え処理がなされる過程で実行されるチャンネルサーチ処理において中継チャンネルがみつからない場合における、受信品質（Ｃ／Ｎ）の変化と、フルセグ受信とワンセグ受信との切り替えとの関係を示す図である。
【図１２】図９に示す手順に従ってフルセグ受信とワンセグ受信との自動切り替え処理がなされる過程で実行されるチャンネルサーチ処理において中継チャンネルがみつかった場合における、受信品質（Ｃ／Ｎ）の変化と、フルセグ受信とワンセグ受信との切り替えとの関係を示す図である。
【発明を実施するための形態】
【００２４】
以下、本発明の実施の形態について図面を用いて説明する。
【００２５】
本発明の実施の形態に係る車載用受信装置は、地上デジタル放送受信装置であって、図１に示すように構成される。
【００２６】
図１に示す車載用受信装置（地上デジタル放送受信装置）は、地上デジタル放送を受信することができる。この地上デジタル放送では、前述したように、階層伝送により、１チャンネルに含まれる１３セグメントのうち、１２個のセグメントを用いた情報レートが大きく（例えば、多値ＱＡＭによる）高品質な弱階層の放送信号（以下、フルセグ放送信号（第１放送信号）という）と、残りの１個のセグメントを用いた電波の変動に強い方式で変調（例えば、ＱＰＳＫ）された強階層の放送信号（以下、ワンセグ放送信号（第２放送信号）という）とを含む放送信号が放送に供される。この放送信号は、放送すべき情報（音声、映像、データ等）に基づいて変調される複数のキャリアがＯＦＤＭ（Orthogonal Frequency Division Multiplexing：直交周波数分割多重）化されたＯＦＤＭ信号として伝送される。
【００２７】
階層伝送される前記放送信号（ＯＦＤＭ信号）を受信する車載用受信装置１０は、図１に示すように、制御部１１、４つのチューナ部１２ａ、１２ｂ、１２ｃ、１２ｄを含む受信部１２、切替部１３、第１のＯＦＤＭ復調部１４ａ、第２のＯＦＤＭ復調部１４ｂ、デコーダ１５、表示処理部１６及びデジタル／アナログ変換器（Ｄ／Ａ変換器）１７を有している。制御部１１は、受信状態判定部１１１、切替制御部１１２、サーチ処理部１１３及びＥＰＧ作成部１１４を有している。また、車載用受信装置１０は、インストルメントパネルに設けられたセンタユニット２０に接続されている。センタユニット２０は表示装置２１及び操作部２２を有し、このセンタユニット２０にはスピーカ２５が接続されている。
【００２８】
受信部１２を構成する４つのチューナ部１２ａ〜１２ｄのそれぞれは、伝送チャンネルを選局し、その選局した伝送チャンネルの放送信号（ＯＦＤＭ信号）を受信する。この放送信号には、前述した弱階層のフルセグ放送信号と強階層のワンセグ放送信号とが含まれている。切替部１３は、制御部１１における切替制御部１１２の制御のもと、２つのチューナ部１２ａ、１２ｂからの放送信号が常時第１のＯＦＤＭ復調部１４ａに供給される状態を維持しつつ、他の２つのチューナ部１２ｃ、１２ｄからの放送信号を第１のＯＦＤＭ復調部１４ａ及び第２のＯＦＤＭ復調部１４ｂのいずれかに切り替える。
【００２９】
第１のＯＦＤＭ復調部１４ａ及び第２のＯＦＤＭ復調部１４ｂのそれぞれは、切替部１３を介して入力される放送信号（ＯＦＤＭ信号）を復調してデジタル受信信号（トランスポートパケット）を生成する。制御部１１は、第１のＯＦＤＭ復調部１４ａからの複数（４つまたは２つ）のデジタル受信信号を所定のアルゴリズムに従ってダイバーシティ合成し、それにより得られた合成受信信号から、音声信号、映像信号及びその他の信号（データ、ＥＰＧ情報等）を分離する。そして、制御部１１は、音声信号及び映像信号をデコーダ１５に供給し、データやＥＰＧ情報等のその他の信号については、内部で処理する。デコーダ１５は、制御部１１からの音声信号及び映像信号を復号する。デコーダ１５での復号にて得られた復号映像信号は、表示処理部１６にて所定の表示処理が施されてセンタユニット２０に供給される。また、デコーダ１５での復号にて得られた復号音声信号は、Ｄ／Ａ変換器１７にてアナログ音声信号に変換されて、センタユニット２０に供給される。
【００３０】
センタユニット２０では、表示処理部１６からの復号映像信号に基づいて放送番組の映像が表示装置２１に表示され、復号音声信号に基づいて放送番組の音声がスピーカ２５から出力される。
【００３１】
制御部１１における受信状態判定部１１１は、ダイバーシティ合成により得られた合成受信信号に基づいて、放送信号（ＯＦＤＭ信号）の受信品質、例えば、搬送波電力（Ｃ）と雑音電力（Ｎ）との比Ｃ／Ｎを、受信品質を表すパラメータとして演算し、このＣＮに基づいて受信品質を判定する。制御部１１におけるサーチ処理部１１３は、２つのチューナ部１２ｃ、１２ｄからの放送信号（ＯＦＤＭ信号）を復調する第２のＯＦＤＭ復調部１４ｂからのデジタル受信信号に基づいて受信可能なチャンネルを探すための処理を行う。このチャンネルサーチ処理の詳細については後述する。ＥＰＧ作成部１１４は、２つのチューナ部１２ｃ、１２ｄからの放送信号（ＯＦＤＭ信号）を復調する第２のＯＦＤＭ復調部１４ｂからのデジタル受信信号から分離したＥＰＧ情報に基づいてＥＰＧ（電子番組ガイド）を作成するための処理を行う。このＥＰＧ作成処理の詳細については後述する。サーチ処理部１１３によるチャンネルサーチ処理及びＥＰＧ作成部１１４によるＥＰＧ作成処理は、例えば、受信される放送信号に基づいた情報（音声、映像）の再生（出力）に係る処理のバックグラウンドにて後述するタイミングにて行われる。
【００３２】
制御部１１は、弱階層のフルセグ放送信号を情報の再生に用いるフルセグ再生形態（第１再生形態）と、強階層のワンセグ放送信号を情報の再生に用いるワンセグ再生形態（第２再生形態）とを、受信状態判定部１１１により判定される受信品質に応じて切り替える（再生形態切替手段）。制御部１１は、例えば、フルセグ再生形態では、ダイバーシティ合成により得られる合成受信信号のうちフルセグ放送信号に対応する部分をデコーダ１５に供給し、ワンセグ再生形態では、ダイバーシティ合成により得られる合成受信信号のうちワンセグ放送信号に対応する部分をデコーダ１５に供給する。制御部１１での前記フルセグ再生形態と前記ワンセグ再生形態との切り替えは、例えば、図２に示す手順に従ってなされる。
【００３３】
図２において、受信状態判定部１１１は、Ｃ／Ｎで表される受信品質が、所定品質レベル（閾値）Ｔｈone-seg以下であるか否かを判定する（Ｓ１１）。受信状態判定部１１１により受信品質が良好であって所定品質レベルＴｈone-seg以下ではないと判定されると（Ｓ１１でＮＯ）、制御部１１は、フルセグ再生形態を維持する（Ｓ１２）。これにより、受信品質（Ｃ／Ｎ）が所定品質レベルＴｈone-segを越えて良好な受信環境では、フルセグ再生形態が維持され、弱階層のフルセグ放送信号に基づいた高品質な映像及び音声の再生（表示装置２１での映像表示、スピーカ２５からの音出力）がなされる。
【００３４】
車両が走行して、放送信号の受信環境が悪くなり、例えば、図３の時刻ｔ１で、受信状態判定部１１１により受信品質（Ｃ／Ｎ）が所定品質レベルＴｈone-seg以下であると判定されると（Ｓ１１でＹＥＳ）、制御部３１は、前記フルセグ再生形態から前記ワンセグ再生形態に切り替える（Ｓ１３：再生形態切替手段）。これにより、放送信号の受信環境が悪く、受信品質（Ｃ／Ｎ）が所定品質レベルＴｈone-segまで低下すると、前記ワンセグ再生形態に切り替わって、ノイズ等に強い強階層のワンセグ放送信号を用いて情報（音声、映像）の再生（映像表示、音出力）がなされる。
【００３５】
その後、制御部１１は、受信品質（Ｃ／Ｎ）が所定品質レベルＴｈone-seg以下であるか否かを判定する（Ｓ１４）。受信品質（Ｃ／Ｎ）が、回復することなく、所定品質レベルＴone-seg以下であると（Ｓ１４でＹＥＳ）、制御部１１は、後述するタイマＴがゼロであることを確認して（Ｓ１５でＹＥＳ）、ワンセグ再生形態を維持する（Ｓ１６）。このようにして（Ｓ１５〜Ｓ１７）、受信品質が所定品質レベルＴｈone-seg以下の状態では、ワンセグ再生形態が維持される。
【００３６】
前記ワンセグ再生形態が維持される状態で、車両の走行によって、放送信号の受信環境が改善されて、受信品質（Ｃ／Ｎ）が前記所定品質レベルＴｈone-segを越えると（Ｓ１４でＮＯ）、制御部１１は、タイマＴがゼロであるか（Ｔ＝０）否かを判定し（Ｓ１７）、タイマＴがゼロであれば（Ｓ１７でＹＥＳ）、そのタイマＴをスタートさせ（Ｓ１８）、該タイマＴが所定時間Ｔｏに達したか否かを判定する（Ｓ１９）。タイマＴが所定時間Ｔｏに達していない場合（Ｓ１９でＮＯ）、制御部１１は、ワンセグ再生形態を維持する（Ｓ１６）。以後、受信品質（Ｃ／Ｎ）が所定品質レベルＴｈone-segを越えて受信環境が良好な場合であっても（Ｓ１４でＮＯ）、タイマＴが動作しつつワンセグ再生形態が維持される（Ｓ１４、Ｓ１７、Ｓ１９、Ｓ１６）。
【００３７】
放送信号の受信環境が不安定な状況では、受信品質（Ｃ／Ｎ）が一時的に前記所定品質レベルＴｈone-seg以下に低下することがある。この場合（Ｓ１４でＹＥＳ）、制御部１１は、タイマＴがゼロでないことを確認して（Ｓ１５でＮＯ）、タイマＴをリセットし（Ｓ２０）、ワンセグ再生形態を更に維持する（Ｓ１６）。その後、再び放送信号の受信環境の回復により受信品質（Ｃ／Ｎ）が前記所定品質レベルＴｈone-segを越えると（Ｓ１４でＮＯ）、制御部１１は、タイマＴがゼロであることを確認して（Ｓ１７でＹＥＳ）、再度、タイマＴをスタートさせる（Ｓ１８）。そして、制御部１１は、タイマＴが所定時間Ｔｏに達したか否かを判定し（Ｓ１９）、タイマＴが所定時間Ｔｏに達していないと（Ｓ１９でＮＯ）、受信品質（Ｃ／Ｎ）が所定品質レベルＴｈone-segを越えているものの、ワンセグ再生形態を維持する（Ｓ１６）。
【００３８】
例えば、図３の時刻ｔ1と時刻ｔ２との間の状況のように、受信品質（Ｃ／Ｎ）が所定品質レベルＴｈone-segを越える状態が所定時間Ｔｏ維持できないような、放送信号の受信環境が不安定な状況では、タイマＴのスタート（Ｓ１４でＮＯ、Ｓ１７、Ｓ１８、Ｓ１９）と、リセット（Ｓ１４でＹＥＳ、Ｓ１５、Ｓ２０）とが繰り返されつつ、ワンセグ再生形態が維持される（Ｓ１６）。従って、このように放送信号の受信環境が不安定な状況では、ノイズ等に強い強階層のワンセグ放送信号を用いて情報（音声、映像）の再生（映像表示、音出力）がなされる。
【００３９】
上記のようにしてワンセグ再生形態が維持されている（Ｓ１６）状況において、放送信号の受信環境が改善されて、受信品質（Ｃ／Ｎ）が所定品質レベルＴｈone-segを越えた状態（Ｓ１４でＮＯ）で、タイマＴが所定時間Ｔｏに達すると（Ｓ１９でＹＥＳ）、即ち、図３の時刻ｔ２と時刻ｔ３との間の状況のように、受信品質（Ｃ／Ｎ）が所定品質レベルＴｈone-segを越えた状態が所定時間Ｔｏ継続すると、制御部１１は、フルセグ再生形態に復帰させる（図３における時刻ｔ３）。これにより、ノイズ等に強い強階層のワンセグ放送信号を用いた情報（音声、映像）の再生（映像表示、音出力）から、弱階層のフルセグ放送信号に基づいた高品質な映像及び音声の再生（映像表示、音出力）に切り替えられる。
【００４０】
上述したように、受信品質（Ｃ／Ｎ）に応じて、高品質なフルセグ再生形態と、品質が劣るワンセグ再生形態とが切り替えながら、情報（映像、音声）の再生がなされている過程で、制御部１１は、例えば、図４に示す手順に従って、チャンネルサーチ処理をバックグラウンド処理として実行する。
【００４１】
例えば、図５に示すように受信品質（Ｃ／Ｎ）が所定品質レベルＴｈone-segまで低下して、フルセグ再生形態からワンセグ再生形態に切り替わったタイミング（時刻ｔ１）で、チャンネルサーチ処理が許容され、当該タイミング（時刻ｔ１）にて、チャンネルサーチ処理が開始される。
【００４２】
制御部１１における切替制御部１１２が切替部１３を制御することにより、４つのチューナ部１２ａ〜１２ｄのうち、２つのチューナ部１２ａ、１２ｂが、第１のＯＦＤＭ復調部１４ａに接続されて、今まで選局されているチャンネルの放送信号の受信のために引き続き用いられ、残りの２つのチューナ部１２ｃ、１２ｄが、第２のＯＦＤＭ復調部１４ｂに接続されて、チャンネルサーチのために用いられる。２つのチューナ部１２ａ、１２ｂにて選局されているチャンネルの放送信号を用いたワンセグ再生形態での情報（映像、音声）の再生と並行して、制御部１１（サーチ処理部１１３）は、残りのチューナ部１２ｃ、１２ｄを制御して、図４に示す手順に従ってチャンネルサーチ処理（バックグラウンド処理）を行う。なお、今まで選局されているチャンネルの放送信号が４つのチューナ１２ａ〜１２ｄを用いて受信され、ダイバーシティ合成（４ダイバー合成）されていたが、チャンネルサーチ処理の開始によって、２つのチューナ１２ａ、１２ｂを用いた受信に切り替えられるので、チャンネルサーチ処理開始後に継続される今まで選局されているチャンネルの放送信号の受信品質（Ｃ／Ｎ）は、例えば、図５に示すチャンネルサーチ期間（時刻ｔ１〜時刻ｔ２）における破線で示す特性から実線で示す特性のように僅かに低下する（ただし、ワンセグ再生形態での情報の再生が可能な品質レベル範囲内）。
【００４３】
図４を参照するに、制御部１１におけるサーチ処理部１１３（バックグラウンド処理タイミング制御手段）は、既に受信しているＮＩＴ（Network Information Table）に定められた受信可能な周波数帯域から１つのチャンネル周波数を選択して設定し（Ｓ３１）、その設定チャンネル周波数の放送信号（ＯＦＤＭ信号）が２つのチューナ部１２ｃ、１２ｄにて受信されるか否かを判定する（Ｓ３２）。前記設定チャンネル周波数の放送信号（ＯＦＤＭ信号）を受信することができない場合（Ｓ３２でＮＯ）、サーチ処理部１１３は、図２に示すフルセグ再生形態とワンセグ再生形態との切替処理において用いられているタイマＴが所定時間Ｔｏに達したか否かを判定する（Ｓ３６）。ワンセグ再生形態での情報の再生が維持されている状況であって前記タイマＴが所定時間Ｔｏに達していなければ（Ｓ３６でＮＯ）、サーチ処理部１１３は、全てのチャンネルについてのサーチが終了したか否かを判定する（Ｓ３７）。
【００４４】
まだ全てのチャンネルについてのサーチが終了していなければ（Ｓ３７でＮＯ）、サーチ処理部１１３は、次のチャンネル周波数を設定し（Ｓ３１）、その設定チャンネル周波数の放送信号（ＯＦＤＭ信号）が２つのチューナ部１２ｃ、１２ｄにて受信されるか否かを判定する（Ｓ３２）。前記設定チャンネル周波数の放送信号（ＯＦＤＭ信号）が２つのチューナ部１２ｃ、１２ｄにて受信されると（Ｓ３２でＹＥＳ）、サーチ処理部１１３は、その受信される放送信号によってフルセグ再生形態での情報の再生が可能であるか否か、即ち、受信品質（Ｃ／Ｎ）が所定品質レベルＴｈone-segを越えているか否かを判定する（Ｓ３３）。なお、ここでは、２つのチューナ１２ｃ、１２ｄでの受信結果に基づいて、４つのチューナ１２ａ〜１２ｄで受信してダイバーシティ合成した場合の受信品質を推定判断している。その受信品質が前記所定品質レベルＴｈone-seg以下であって、前記受信された放送信号によってフルセグ再生形態での情報の再生が可能ではないと判定されると（Ｓ３３でＮＯ）、前記タイマＴが前記所定時間Ｔｏに達していないこと（Ｓ３６でＮＯ）、及び全チャンネルのサーチが終了していないこと（Ｓ３７でＮＯ）を確認した後に、サーチ処理部１１３は、次のチャンネル周波数を設定する（Ｓ３１）。
【００４５】
更に、設定された次のチャンネル周波数の放送信号（ＯＦＤＭ信号）が受信され（Ｓ３２でＹＥＳ）、その受信される放送信号によってフルセグ再生形態での情報の再生が可能であると判定されると（Ｓ３３でＹＥＳ）、サーチ処理部１１３は、その受信される放送信号のチャンネルが、現在選局されてワンセグ再生形態にて情報（放送番組の映像、放送番組の音声）の再生がなされている放送信号のチャンネルと同じ番組を放送している中継チャンネルであるか否かを判定する（Ｓ３４）。前記受信される放送信号のチャンネルが中継チャンネルではないと判定されると（Ｓ３４でＮＯ）、再度、前記タイマＴが前記所定時間Ｔｏに達していないこと（Ｓ３６でＮＯ）、及び全チャンネルのサーチが終了していないこと（Ｓ３７でＮＯ）を確認した後に、サーチ処理部１１３は、更に次のチャンネル周波数を設定する（Ｓ３１）。
【００４６】
このようにして、サーチ処理部１１３は、タイマＴが所定時間Ｔｏに達していないことを確認しつつ（Ｓ３６）、チャンネル周波数を順次変えて（Ｓ３７、Ｓ３１）、そのチャンネル周波数の放送信号がフルセグ再生形態での情報の再生が可能な中継チャンネルの放送信号であるか否かを判定する（Ｓ３２〜Ｓ３４）。その過程で、設定されたチャンネル周波数の放送信号がフルセグ再生形態での情報の再生が可能な中継チャンネルの放送信号であると判定すると（Ｓ３２でＹＥＳ、Ｓ３３でＹＥＳ、Ｓ３４でＹＥＳ）、サーチ処理部１１３は、その中継チャンネルを、現在選局されているチャンネルに代えて、受信・再生すべきチャンネルとして選局することを決定し（Ｓ３５）、チャンネルサーチ処理を終了する。
【００４７】
切替制御部１１１の制御のもと、切替部１３が前記チャンネルサーチ処理に用いた２つのチューナ１２ｃ、１２ｄを他の２つのチューナ１２ａ、１２ｂと同様に、第１のＯＦＤＭ復調部１４ａに接続する。これにより、例えば、図５に示す時刻ｔ２にて、２つのチューナ１２ａ、１２ｂにて選局されていたチャンネルＡの放送信号を用いたワンセグ再生形態での情報（放送番組の映像、放送番組の音声）の再生から、４つのチューナ１２ａ〜１２ｄにて選局された前記中継チャンネルＢの放送信号をダイバーシティ合成（４ダイバー合成）して得られるデジタル受信信号を用いたフルセグ再生形態での情報（同じ放送番組の映像、同じ放送番組の音声）の再生に切り替えられる。以後、前記中継チャンネルＢの放送信号を用いた同じ番組の情報（映像、音声）の再生がフルセグ再生形態にて維持される。
【００４８】
なお、前述した処理の過程で、前記タイマＴが所定時間Ｔｏに達すると（Ｓ３６でＹＥＳ）、チャンネルサーチ処理が終了する。この場合は、受信品質（Ｃ／Ｎ）が所定品質レベルを超える状態が所定時間Ｔｏ継続されてフルセグ再生形態に復帰するので（図２におけるＳ１９でＹＥＳ）、それ以降のチャンネルサーチ処理が必要ない。また、前述した処理の過程で、全チャンネルについてのサーチが終了すると（Ｓ３７でＹＥＳ）、中継チャンネルがみつけられずに前記チャンネルサーチ処理が終了する。この場合は、今まで選局されているチャンネルの放送信号を用いて（４つのチューナ１２ａ〜１２ｄ利用）、ワンセグ再生形態での情報の再生が継続される。
【００４９】
上記のようなフルセグ再生形態とワンセグ再生形態との切り替え（図２参照）と、チャンネルサーチ処理（図４及び図５参照）とを行う車載用受信装置１０によれば、受信品質（Ｃ／Ｎ）が所定品質レベルＴｈone-segまで低下してフルセグ再生形態からワンセグ再生形態に切り替わると、従来のように所定時間待つことなく、その切り替わりタイミング（例えば、図５における時刻ｔ１参照）から、チャンネルサーチ処理がバックグラウンド処理として開始されるので、時間の無駄がない。また、受信品質（Ｃ／Ｎ）がフルセグ再生形態での情報の再生が可能な前記所定品質レベルＴｈone-segを越える状態に復帰したとしても、フルセグ再生形態に切り替わることなくワンセグ再生形態が維持される、タイマＴが所定時間Ｔｏ以下となる期間において、前記チャンネルサーチ処理がなされるので、本来フルセグ再生形態にてなされる情報の再生が、前記チャンネルサーチ処理よって、ワンセグ再生形態に維持されてしまうという事態がなく、その放送信号の受信及び再生への影響が少ない。そのため、チャンネルサーチ処理が実行される際の視聴者（車両の乗員）の見た目の違和感がほとんどない。
【００５０】
上述したように、受信品質（Ｃ／Ｎ）に応じて、高品質なフルセグ再生形態と、品質が劣るワンセグ再生形態とが切り替えられながら、情報（映像、音声）の再生がなされている過程（図２参照）で、制御部１１は、例えば、図６に示す手順に従って、ＥＰＧ情報取得処理をバックグラウンド処理として実行することができる。
【００５１】
例えば、図７に示すように受信品質（Ｃ／Ｎ）が所定品質レベルＴｈone-segまで低下して、フルセグ再生形態からワンセグ再生形態に切り替わったタイミング（時刻ｔ１）で、ＥＰＧ情報取得処理が許容され、当該タイミング（時刻ｔ１）にて、ＥＰＧ情報取得処理が開始される。
【００５２】
前述したチャンネルサーチ処理の場合と同様に、２つのチューナ部１２ａ、１２ｂにて選局されているチャンネルの放送信号を用いたワンセグ再生形態での情報（映像、音声）の再生と並行して、制御部１１（ＥＰＧ作成部１１４）は、残りのチューナ部１２ｃ、１２ｄを制御して、図６に示す手順に従ってＥＰＧ情報取得処理（バックグラウンド処理）を行う。この場合も、今まで選局されているチャンネルの放送信号が４つのチューナ１２ａ〜１２ｄを用いて受信され、ダイバーシティ合成（４ダイバー合成）されていたが、ＥＰＧ情報取得処理の開始によって、２つのチューナ１２ａ、１２ｂを用いた受信に切り替えられるので、ＥＰＧ取得処理開始後に継続される今まで選局されているチャンネルの放送信号の受信品質（Ｃ／Ｎ）は、例えば、図７に示すＥＰＧ取得期間（時刻ｔ１〜時刻ｔ２、時刻ｔ３〜時刻ｔ４、時刻ｔ６〜時刻ｔ７））における破線で示す特性から実線で示す特性のように僅かに低下する（ただし、ワンセグ再生形態での情報の再生が可能な品質レベル範囲内）。
【００５３】
図６を参照するに、制御部１１におけるＥＰＧ作成部１１４（バックグラウンド処理タイミング制御手段）は、現在のチャンネルリストから１つのチャンネル周波数を選択して設定し（Ｓ４１）、その設定チャンネル周波数の放送信号（ＯＦＤＭ信号）が２つのチューナ部１２ｃ、１２ｄにて受信されるか否かを判定する（Ｓ４２）。前記設定チャンネル周波数の放送信号（ＯＦＤＭ信号）を受信することができない場合（Ｓ４２でＮＯ）、ＥＰＧ作成部１１４は、図２に示すフルセグ再生形態とワンセグ再生形態との切替処理において用いられているタイマＴが所定時間Ｔｏに達したか否かを判定する（Ｓ４５）。ワンセグ再生形態での情報の再生が維持されている状況であって前記タイマＴが所定時間Ｔｏに達していなければ（Ｓ４５でＮＯ）、ＥＰＧ作成部１１４は、全てのチャンネルについての処理が終了したか否かを判定する（Ｓ４６）。
【００５４】
まだ全てのチャンネルについての処理が終了していなければ（Ｓ４６でＮＯ）、ＥＰＧ作成部１１４は、次のチャンネル周波数を設定し（Ｓ４１）、その設定チャンネル周波数の放送信号（ＯＦＤＭ信号）が２つのチューナ部１２ｃ、１２ｄにて受信されるか否かを判定する（Ｓ４２）。前記設定チャンネル周波数の放送信号（ＯＦＤＭ信号）が２つのチューナ部１２ｃ、１２ｄにて受信されると（Ｓ４２でＹＥＳ）、ＥＰＧ作成部１１４は、その受信される放送信号からＥＰＧ情報を含むデータの取得が可能であるか否か、即ち、受信品質（Ｃ／Ｎ）が所定品質レベルＴｈone-segを越えているか否かを判定する（Ｓ４３）。その受信品質が前記所定品質レベルＴｈone-seg以下であって、前記受信された放送信号からＥＰＧ情報を含むデータの取得が可能ではないと判定されると（Ｓ４３でＮＯ）、前記タイマＴが前記所定時間Ｔｏに達していないこと（Ｓ４５でＮＯ）、及び全チャンネルのサーチが終了していないこと（Ｓ４６でＮＯ）を確認した後に、ＥＰＧ作成部１１４は、次のチャンネル周波数を設定する（Ｓ４１）。
【００５５】
更に、設定された次のチャンネル周波数の放送信号（ＯＦＤＭ信号）が受信され（Ｓ４２でＹＥＳ）、その受信される放送信号からＥＰＧ情報を含むデータの取得が可能であると判定されると（Ｓ４３でＹＥＳ）、ＥＰＧ作成部１１４は、その受信される放送信号から設定されているチャンネルのＥＰＧ情報（電子番組ガイド情報）を取得する（Ｓ４４）。
【００５６】
このようにして、ＥＰＧ作成部１１４は、タイマＴが所定時間Ｔｏに達していないこと（Ｓ４５でＮＯ）、及び全チャンネルについての処理が終了していないこと（Ｓ４６でＮＯ）を確認しつつ、例えば、図７の時刻ｔ１〜ｔ２の期間及び時刻ｔ３〜時刻ｔ４の期間のように、受信品質（Ｃ／Ｎ）の良好なチャンネルについてのＥＰＧ情報を取得する（Ｓ４１〜Ｓ４６）。
【００５７】
ここで、例えば、図７の時刻ｔ５にて、選局されている放送信号の受信品質が回復して、その受信品質（Ｃ／Ｎ）が所定品質レベルＴｈone-segを越える状態が所定時間Ｔｏ継続して、タイマＴが所定時間Ｔｏに達すると（Ｓ４５でＹＥＳ、図２におけるＳ１９でＹＥＳ）、今まで選局されている放送信号が４つのチューナ１２ａ〜１２ｄに受信されて、その放送信号を用いたフルセグ再生形態での情報（映像、音声）の再生に切り替わる。このとき、同時に、ＥＰＧ取得処理が終了する。なお、このとき、制御部１１は、ＥＰＧ情報を取得したチャンネルについての情報を保存する。
【００５８】
その後、例えば、図７の時刻ｔ６にて、受信品質（Ｃ／Ｎ）の低下によって、フルセグ再生形態からワンセグ再生形態に切り替えられると、そのタイミング（時刻ｔ６）で、図６に示す手順に従ったＥＰＧ取得処理が再度開始される。このとき、チャンネルリストにおいて既にＥＰＧ情報の取得されたチャンネルに続くチャンネルからＥＰＧ情報の取得が開始される。以後、前述したのと同様に、２つのチューナ部１２ａ、１２ｂにて選局されているチャンネルの放送信号を用いたワンセグ再生形態での情報（映像、音声）の再生と並行して、ＥＰＧ作成部１１４が、残りのチューナ部１２ｃ、１２ｄを制御して、図６に示す手順に従って各チャンネルについてのＥＰＧ情報を取得する（例えば、図７における時刻ｔ６〜時刻ｔ７の期間参照）。
【００５９】
上記の処理の過程で、チャンネルリストにあげられた全てのチャンネルについてのＥＰＧ情報の取得処理が終了すると（Ｓ４６）、各チャンネルの最新のＥＰＧ情報の利用が可能となる。
【００６０】
上記のようなフルセグ再生形態とワンセグ再生形態との切り替え（図２参照）と、ＥＰＧ取得処理（図６及び図７参照）とを行う車載用受信装置１０によれば、受信品質（Ｃ／Ｎ）が所定品質レベルＴｈone-segまで低下してフルセグ再生形態からワンセグ再生形態に切り替わると、従来のように所定時間待つことなく、その切り替わりタイミング（例えば、図７における時刻ｔ１及び時刻ｔ６参照）から、ＥＰＧ取得処理がバックグラウンド処理として開始されるので、時間の無駄がない。また、受信品質（Ｃ／Ｎ）がフルセグ再生形態での情報の再生が可能な前記所定品質レベルＴｈone-segを越える状態に復帰したとしても、フルセグ再生形態に切り替わることなくワンセグ再生形態が維持される、タイマＴが所定時間Ｔｏ以下となる期間において、前記ＥＰＧ取得処理がなされるので、本来フルセグ再生形態にてなされる情報の再生が、前記ＥＰＧ取得処理よって、ワンセグ再生形態に維持されてしまうという事態がなく、その放送信号の受信及び再生への影響が少ない。そのため、ＥＰＧ取得処理が実行される際の視聴者（車両の乗員）の見た目の違和感がほとんどない。
【００６１】
なお、前述した車載用受信装置１０では、受信品質（Ｃ／Ｎ）が所定品質レベルＴｈone-segまで低下してフルセグ再生形態からワンセグ再生形態に切り替わった後に、受信品質（Ｃ／Ｎ）が前記所定品質レベルＴｈone-segを越えた状態が予め定めた一定時間ｔｏ継続されたときに、ワンセグ再生形態からフルセグ再生形態に復帰するものであったが、これに限定されない。例えば、図８に示すように、受信品質（Ｃ／Ｎ）が所定品質レベルＴｈone-segまで低下してフルセグ再生形態からワンセグ再生形態に切り替わった（時刻ｔ１）後に、受信品質（Ｃ／Ｎ）が前記所定品質レベルＴｈone-segより高い品質レベルＴｈfull-segを越えた時（時刻ｔ３）に、ワンセグ再生形態からフルセグ再生形態に復帰させるようにしてもよい。この場合も、受信品質（Ｃ／Ｎ）がフルセグ再生形態からワンセグ再生形態に切り替えるための基準となる所定品質レベルＴｈone-segを越えて（時刻ｔ２）それより大きい品質レベルＴｈfull-segを更に越えるまで（時刻ｔ３）のある期間Ｔｘ経過しなければ、フルセグ再生形態に復帰しない。従って、このある期間Ｔｘを利用して、前述したチャンネルサーチ処理（図４参照）やＥＰＧ取得処理（図６参照）等のバックグラウンド処理を行うことができる。
【００６２】
前述した車載受信装置１０では、受信品質（Ｃ／Ｎ）が低下してフルセグ再生形態からワンセグ再生形態に切り替わったタイミングから、タイマＴが所定時間Ｔｏに達するまで、即ち、受信品質（Ｃ／Ｎ）が回復して、前記ワンセグ再生形態から前記フルセグ再生形態に復帰するまで（図７における時刻ｔ１〜時刻ｔ５まで）、バックグラウンド処理（チャンネルサーチ処理、ＥＰＧ情報取得処理）が許容されるものであったが、受信品質（Ｃ／Ｎ）が低下してフルセグ再生形態からワンセグ再生形態に切り替わったタイミングから前記所定時間Ｔｏ経過するまでの間前記バックグラウンド処理を許容するようにしてもよい。また、図８に示すようなフルセグ再生形態とワンセグ再生形態との切り替えを考慮して、フルセグ再生形態からワンセグ再生形態に切り替わったタイミングから、前記時間Ｔｘとして見込まれる時間に基づいて定められた時間や、他の任意に決められる時間、前記バックグラウンド処理を許容するようにしてもよい。
【００６３】
更に、前記フルセグ再生形態と前記ワンセグ再生形態との切り替えは、図９に示す手順に従って行ない得る。
【００６４】
この場合、前述した例（図２参照）と同様に、受信部１２で受信される放送信号の受信品質（Ｃ／Ｎ）が所定品質レベルＴｈone-segを越えている状態で、フルセグ再生形態が維持される（Ｓ１１でＮＯ、Ｓ１２）。そして、前記受信品質が、例えば、図１０の時刻ｔ１にて、所定品質レベルＴｈone-seg以下になると（Ｓ１１でＹＥＳ）、情報の再生が前記フルセグ再生形態からワンセグ再生形態に切り替えられる（Ｓ１３）。そして、制御部１１は、タイマＴをスタートさせ（Ｓ５１）、そのタイマＴが一定時間Ｔａに達したか否かを判定する（Ｓ５２）。このタイマＴが時間Ｔａに達するまでの間では、前記放送信号の受信品質（Ｃ／Ｎ）に係らず、即ち、フルセグ再生形態での情報の再生が可能であるか否かに係らず、ワンセグ再生形態が維持される。
【００６５】
前記ワンセグ再生形態が維持される状況において、例えば、図１０の時刻ｔ２にて、前記タイマＴが一定時間Ｔａに達すると（Ｓ５２でＹＥＳ）、制御部１１は、再び、受信部１２で受信される放送信号の受信品質（Ｃ／Ｎ）が所定品質レベルＴｈone-sgeを越えているか否かを判定する（Ｓ５３）。そして、例えば、図１０の時刻ｔ３にて、前記放送信号の受信品質（Ｃ／Ｎ）が所定品質レベルＴｈone-segを越えると（Ｓ５３でＹＥＳ）、制御部１１は、前記タイマＴをリセットして（Ｓ５４）、ワンセグ再生形態の情報の再生からフルセグ情報の再生に復帰させる（Ｓ５５）。以後、前記所定品質レベルＴｈone-segを越える放送信号の受信品質（Ｃ／Ｎ）が維持されているかぎり、継続してフルセグ再生形態にて情報（映像、音声）の再生がなされる。そして、放送信号の受信品質（Ｃ／Ｎ）が前記所定品質レベルＴｈone-seg以下に低下する毎に、ワンセグ再生形態に切り替えられて前述した処理（Ｓ１３、Ｓ５１〜Ｓ５５）が実行される。
【００６６】
このようにして（図９、図１０参照）、フルセグ再生形態とワンセグ再生形態とが切り替えられる過程で、例えば、図４（ＴｏをＴａに代える）に示す手順に従って、チャンネルサーチ処理をバックグラウンド処理として行うことができる。即ち、受信部１２で受信される放送信号の受信品質（Ｃ／Ｎ）が所定品質レベルＴｈone-seg以下に低下して、フルセグ再生形態からワンセグ再生形態への切り替えタイミング（図１０における時刻ｔ１）からワンセグ再生形態が維持される前記一定時間Ｔａにおいて、受信部１２における２つのチューナ１２ａ、１２ｂが継続して放送信号の受信に用いられてワンセグ再生形態での情報（映像、音声）の再生がなされつつ、残りのチューナ１２ｃ、１２ｄを用いたチャンネルサーチ処理が許容される。
【００６７】
前記チャンネルサーチ処理により前記一定時間Ｔａ内に中継チャンネルがみつからない場合、例えば、図１１に示すように、当該一定時間Ｔａでは、４つチューナ１２ａ〜１２ｄでの受信及びダイバーシティ合成から２つのチューナ１２ａ、１２ｄへの切り替えにより、受信品質が僅かに低下した状態でワンセグ再生形態が維持され、前記一定時間Ｔａ経過後（時刻ｔ２以降）に、４つのチューナ１２ａ〜１２ｄでの受信及びダイバーシティ合成に切り替えられる。そして、放送信号の受信品質が前記所定品質レベルＴｈone-segを越えると（時刻ｔ３）、ワンセグ再生形態からフルセグ再生形態に復帰される（図９におけるＳ５１〜Ｓ５５参照）。
【００６８】
一方、例えば、図１２に示すように、ワンセグ再生形態に切り替わったタイミング（時刻ｔ１）から前記一定時間Ｔａが経過する（時刻ｔ２）前の時刻ｔｘにて、前記チャンネルサーチ処理により同じ番組を放送している中継チャンネルＢがみつかると、２つのチューナ１２ａ、１２ｂにて今まで選局されていたチャンネルＡの放送信号を用いたワンセグ再生形態での情報（放送番組の映像、放送番組の音声）の再生から、４つのチューナ１２ａ〜１２ｄにて選局された前記中継チャンネルＢの放送信号をダイバーシティ合成（４ダイバー合成）して得られるデジタル受信信号を用いたフルセグ再生形態での情報（同じ放送番組の映像、同じ放送番組の音声）の再生に切り替えられる。以後、前記中継チャンネルＢの放送信号を用いた同じ番組の情報（映像、音声）の再生がフルセグ再生形態にて維持される。
【００６９】
図９に示す手順に従ってフルセグ再生形態とワンセグ生成形態との切り替え（図１０参照）を行い、その過程で前述したチャンネルサーチ処理（バックグランド処理）を行う車載用受信装置１０によれば、放送信号の受信品質が所定品質レベルＴｈone-segまで低下してフルセグ再生形態からワンセグ再生形態に切り替わった直後からチャンネルサーチ処理を開始することができるので、時間の無駄がない。また、ワンセグ再生形態に切り替わった後、放送信号の受信品質に係らず、即ち、フルセグ再生形態での情報の再生が可能であるか否かに係らず、当該ワンセグ再生形態が維持される一定期間Ｔａにおいて前記チャンネルサーチ処理がなされ得るので、本来フルセグ再生形態にてなされる情報の再生が、前記チャンネルサーチ処理よって、ワンセグ再生形態に維持されてしまうという事態がなく、その放送信号の受信及び再生への影響が少ない。そのため、チャンネルサーチ処理が実行される際の視聴者（車両の乗員）の見た目の違和感がほとんどない。
【００７０】
なお、図９に示す手順に従ってフルセグ再生形態とワンセグ生成形態との切り替え（図１０参照）がなされる際に、バックグラウンド処理として、チャンネルサーチ処理に代えて、あるいは、チャンネルサーチ処理に加えて前述したＥＰＧ取得処理を行うこともできる。
【００７１】
本発明に係る車載用受信装置は、前記フルセグ再生形態からワンセグ再生形態に切り替わったタイミングからバックグラウンド処理が許容されるものであるが、実際にバックグラウンド処理が開始されるタイミングは、他の処理を優先させなければならない場合には、前記フルセグ再生形態からワンセグ再生形態に切り替わったタイミングに正確に合致させなくてもよい。
【００７２】
前記バックグラウンド処理のために、２つのチューナ１２ｃ、１２ｄが利用されるものであったが、１つのチューナ１２ｃ（または１２ｄ）を前記バックグラウンド処理に利用するものであってもよい。この場合、３つのチューナを、今まで選局されていたチャンネルの放送信号の受信に利用することができる。また、チューナの数は、４つに限定されず、２以上の数であればよい。
【産業上の利用可能性】
【００７３】
以上、説明したように、本発明に係る車載用受信装置は、時間の無駄なく、かつ、本来の放送信号の受信及び再生への影響をできるだけ少なくして、チャンネルサーチ等のバックグラウンド処理を行うことができるという効果を有し、地上デジタル放送のように、階層伝送によりデジタル放送される、弱階層の放送信号及び強階層の放送信号を受信しつつ、チャンネルサーチ等のバックグラウンド処理を行う車載用受信装置として有用である。
【符号の説明】
【００７４】
１０  車載用受信装置
１１  制御部
１２  受信部
１２ａ〜１２ｂ  受信ユニット
１３  切替部
１４ａ  第１のＯＦＤＭ復調部
１４ｂ  第２のＯＦＤＭ復調部
１５  デコーダ
１６  表示処理部
１７  デジタル／アナログ変換器（Ｄ／Ａ変換器）
２０  センタユニット
２１  表示装置
２２  操作部
２５  スピーカ
１１１  受信状態判定部
１１２  切替制御部
１１３  サーチ処理部
１１４  ＥＰＧ作成部
【図１】
2013172332.tif 000003
【図２】
2013172332.tif 000004
【図３】
2013172332.tif 000005
【図４】
2013172332.tif 000006
【図５】
2013172332.tif 000007
【図６】
2013172332.tif 000008
【図７】
2013172332.tif 000009
【図８】
2013172332.tif 000010
【図９】
2013172332.tif 000011
【図１０】
2013172332.tif 000012
【図１１】
2013172332.tif 000013
【図１２】
2013172332.tif 000014